(57)【特許請求の範囲】
【請求項１】
複数の第１ＬＥＤチップが実装された第１ＬＥＤ実装基板と、
前記第１ＬＥＤ実装基板が収容された円筒状の第１直管と、
前記第１直管を保持する第１保持部と、
複数の第２ＬＥＤチップが実装された第２ＬＥＤ実装基板と、
前記第２ＬＥＤ実装基板が収容された円筒状の第２直管と、
前記第２直管を保持する第２保持部と、を備え、
前記第１保持部および前記第２保持部は、それぞれ、鉛直方向に対して相反する方向に傾いた面に突設され、
前記第１保持部および前記第２保持部は、それぞれ、円弧の内側に生じる弾性力によって前記第１直管および前記第２直管を挟むように保持し、
前記第１ＬＥＤチップは、鉛直方向から外れた方向に向けられ、前記第２ＬＥＤチップは、鉛直方向を対称軸として前記第１ＬＥＤチップと対称な方向に向けられる、
ことを特徴とする植物育成用遠赤色照明装置。
【請求項２】
前記鉛直方向から外れた方向は、鉛直方向から３０°〜９０°の範囲であることを特徴とする請求項１に記載の植物育成用遠赤色照明装置。
【請求項３】
前記直管の上方に反射板を更に備えることを特徴とする請求項１または２に記載の植物育成用遠赤色照明装置。
【請求項４】
前記直管は透明であることを特徴とする請求項１から３の何れか一項に記載の植物育成用遠赤色照明装置。
【請求項５】
前記直管は拡散機能を備えることを特徴とする請求項１から４の何れか一項に記載の植物育成用遠赤色照明装置。
【請求項６】
請求項１から５の何れか一項に記載の植物育成用遠赤色照明装置は、ビニールハウス内において、畝から１．４〜２ｍの高さに取り付けられていることを特徴とする植物育成用遠赤色照明装置を用いた植物の栽培方法。
【発明の詳細な説明】
【技術分野】
【０００１】
本発明は、日没の時間帯から遠赤色光を数時間あてることによる植物の応答を利用した栽培方法に用いる植物育成用遠赤色照明装置及びこの植物育成用遠赤色照明装置を用いた植物の栽培方法に関する。
【背景技術】
【０００２】
人工光源を利用した植物の生育や開花調整を行う栽培方法が知られている。このような栽培方法の中には、日没の時間帯（ｅｎｄ ｏｆ ｄａｙ）から数時間光を照射し、光刺激による植物の応答（ＥＯＤ反応）利用した栽培方法が知られている。このＥＯＤ反応に用いる照明装置が、特許文献１に記載されている。
【０００３】
また、日没の時間帯の太陽光では遠赤色（ＦＲ）光の割合が増加することが知られている。本発明者はこの自然現象を模倣し、日没後、照明装置によりＦＲ光を照射することで、ストックやトルコギキョウの開花促進に効果があることを既に明らかにしている。また、ＦＲ光を利用したＥＯＤ反応による開花促進は、放射照度が０．０１〜０．３Ｗ／ｍ２程度であれば、その効果を得ることができることも明らかにしている。
【０００４】
このＦＲ光を利用したＥＯＤ反応による栽培方法が普及することで、出荷時期の調整が行え、出荷集中による単価の暴落を抑えることが期待できる。また、冬季の寡日照で発蕾が抑制されるような地域であっても、栽培期間を短縮することができる。
【０００５】
したがって、ＦＲ光を利用したＥＯＤ反応による栽培方法の普及が重要となるが、この栽培方法が普及していくためには、ＦＲ光を照射する植物育成用遠赤色照明装置の開発が非常に重要となってくる。
【０００６】
植物育成用遠赤色照明装置の光源には、波長域が７００〜８００ｎｍのＦＲ光成分を含むものが必要になる。このような光源としてＦＲ光成分を多く含む白熱灯がある。しかしながら、白熱灯は近年中の製造中止が決定しており、今後の植物育成用遠赤色照明の光源として用いることはできない。
【０００７】
そこで、照明装置の光源として今後ますます普及していくＬＥＤ光源が考えられる。しかしながら、ＦＲ光そのものは可視光ではないため、一般的な照明装置として用いられるものではない。そのため、現在市販されているＦＲ光のＬＥＤ光源を用いた照明装置は、本発明者の知る限り鍋清株式会社製の照明装置だけである。
【０００８】
本発明者は、この鍋清株式会社製のＬＥＤ−ＦＲ光の照明装置を実際に用いて、ストックとトルコギキョウのＥＯＤ反応を利用した栽培を試みた。上記のように、ＦＲ光を利用したＥＯＤ反応による開花促進は、放射照度が０．０１〜０．３Ｗ／ｍ２程度でその効果を得ることができる。鍋清株式会社製の照明装置は所謂電球型となっており、このような放射照度を得るためにはだいたい９ｍ２／灯必要になることがわかった。
【０００９】
先にも述べたように、ＦＲ光を利用したＥＯＤ反応による栽培方法が普及していくためには、植物育成用遠赤色照明装置の開発が非常に重要であり、開発の目的として照射範囲の拡大がある。そこで、本発明者は、鍋清株式会社製のＬＥＤ−ＦＲ照明装置のような電球型ではなく、所謂直管型の植物育成用遠赤色照明装置を試作した。
【００１０】
図５（Ａ）は試作した植物育成用遠赤色照明装置５１０を下方視した平面図であり、図５（Ｂ）は図５（Ａ）のＶＢ−ＶＢ線の断面図である。植物育成用遠赤色照明装置５１０は、図示するように一本の直管型のＬＥＤ光源からなり、ピーク波長７３７ｎｍ、消費電力１８Ｗ、直管長６０ｃｍの照明装置である。また、直管５２１内に収容されたＬＲＤ実装基板５２２上にはＦＲ光用のＬＥＤチップ５２３が実装されている。そしてＬＥＤチップ５２３は、図５（Ｂ）の矢印Ｖで示した鉛直方向に向けられて実装されている。したがって、植物育成用遠赤色照明装置５１０の輝度のピークは、図５（Ｂ）の矢印Ｐで示すように照明装置の直下になっている。
【００１１】
そして、本発明者は、ビニールハウス内でこの試作した植物育成用遠赤色照明装置５１０を畝（Ｈ）から高さ１４０ｃｍおよび２００ｃｍに吊るして、ストックとトルコギキョウの栽培を試みた。その結果、０．０１〜０．３Ｗ／ｍ２程度の放射照度を得ることができる照射範囲はだいたい１８ｍ２／灯であった。つまり、試作した直管型の植物育成用遠赤色照明装置５１０の方が、市販されている電球型のＬＥＤ−ＦＲ照明装置よりも照射範囲が広く、設置灯数を減らせることがわかった。
【先行技術文献】
【特許文献】
【００１２】
【特許文献１】特開２０１３−１２６３８２号公報
【発明の概要】
【発明が解決しようとする課題】
【００１３】
上記のように、本発明者が試作した直管型の植物育成用遠赤色照明装置５１０は、市販の電球型のＬＥＤ−ＦＲ照明装置よりも放射面積が広くなる。一方で、この植物育成用遠赤色照明装置５１０は、照明直下で放射照度が過度に高くなってしまった。
【００１４】
図６には、この試作した直管型の植物育成用遠赤色照明装置５１０の放射照度と、照明直下からの距離との関係を示した図である。この図６からもわかるように、照明直下では非常に放射照度が高くなっている。なお、図中の１．４ｍ、２ｍとは、吊り下げた植物育成用遠赤色照明装置５１０の畝からの高さである。また、放射照度は、ＤＥＬＴＡ ＯＨＭ社製ＨＤ２１０２．１により計測した。
【００１５】
ＦＲ光の放射照度は、０．０１〜０．３Ｗ／ｍ２程度であれば、開花促進の効果があるが、放射照度が高くなり過ぎるとこれ以上の開花促進には効果が少なく、むしろ上位葉のボリュームが不足するような品質の低下がみられることがわかった。
【００１６】
また、当然ながら照明直下から離れるほど植物育成用遠赤色照明装置５１０の放射照度は低くなり、開花促進に効果がある放射照度０．０１Ｗ／ｍ２以下になってしまう。
【００１７】
そこで、本発明は、植物育成用遠赤色照明装置として、ＬＥＤ光源を用いる直管型の照明装置を用いた場合に、照明直下の放射照度が必要以上に高くなってしまうという問題点に鑑みてなされたものであり、照明直下の放射照度を下げることで、均一な育成を実現することのできる植物育成用遠赤照明装置及び直物育成用遠赤色照明装置を用いた植物の栽培方法を提供することを目的とする。
【００１８】
また、本発明は、照明直下の放射照度を下げることで放射面積を広げ、必要となる照明装置の数を減らすことができる植物育成用遠赤照明装置及び直物育成用遠赤色照明装置を用いた植物の栽培方法を提供することを目的とする。
【課題を解決するための手段】
【００１９】
上記課題を解決するため、本発明の植物育成用遠赤色照明装置は、複数の第１ＬＥＤチップが実装された第１ＬＥＤ実装基板と、前記第１ＬＥＤ実装基板が収容された円筒状の第１直管と、前記第１直管を保持する第１保持部と、  複数の第２ＬＥＤチップが実装された第２ＬＥＤ実装基板と、前記第２ＬＥＤ実装基板が収容された円筒状の第２直管と、前記第２直管を保持する第２保持部と、を備える。前記第１保持部および前記第２保持部は、それぞれ、鉛直方向に対して相反する方向に傾いた面に突設され、前記第１保持部および前記第２保持部は、それぞれ、円弧の内側に生じる弾性力によって前記第１直管および前記第２直管を挟むように保持し、前記第１ＬＥＤチップは、鉛直方向から外れた方向に向けられ、前記第２ＬＥＤチップは、鉛直方向を対称軸として前記第１ＬＥＤチップと対称な方向に向けられる。
【００２０】
本発明の植物育成用遠赤色照明装置によれば、照明直下の放射照度を下げることができ、照明直下周辺の植物と同様の開花促進効果及び品質を得ることができる。このため、植物の均一な育成を実現することができる。また、本発明の植物育成用遠赤色照明装置は、開花促進に効果がある放射照度が得られる範囲をより広げることができるため、ハウス内で必要となる照明装置の数を減らすことができる。また、植物の成長にあわせてＬＥＤチップの向きを調整したり、また照明装置の取付位置にあわせてＬＥＤチップの向きを調整したりすることができる。
【００２４】
本発明の植物育成用遠赤色照明装置によれば、植物の成長にあわせてＬＥＤチップの向きを調整したり、また照明装置の取付位置にあわせてＬＥＤチップの向きを調整したりすることができる。
【００２５】
また、本発明の植物育成用遠赤色照明装置は、前記鉛直方向から外れた方向が、鉛直方向から３０°〜９０°の範囲であることを特徴とする。
【００２６】
本発明の植物育成用遠赤色照明装置によれば、照明直下の放射照度をより確実に下げることができるとともに、遠赤色光を効率良く利用することができる。
【００２７】
また、本発明の植物育成用遠赤色照明装置は、前記直管の上方に反射板を更に備えることを特徴とする。
【００２８】
本発明の植物育成用遠赤色照明装置によれば、遠赤色光を効率良く利用することができる。
【００２９】
また、本発明の植物育成用遠赤色照明装置は、前記直管が透明であることを特徴とする。
【００３０】
本発明の植物育成用遠赤色照明装置によれば、遠赤色光を効率良く利用することができる。
【００３１】
また、本発明の植物育成用遠赤色照明装置は、前記直管が拡散機能を備えることを特徴とする。
【００３２】
本発明の植物育成用遠赤色照明装置によれば、出射光である遠赤色光の拡散性を高めることができる。
【００３３】
また、本発明の植物育成用遠赤色照明装置を用いた植物の栽培方法は、上記何れかの植物育成用遠赤色照明装置が、ビニールハウス内において、畝から１．４〜２ｍの高さに取り付けられていることを特徴とする。
【００３４】
本発明の植物育成用遠赤色照明装置を用いた植物の栽培方法によれば、照明直下を含め、広い範囲で、植物に対して適切な放射照度を得ることができるため、開花促進効果及び品質を得ることができる。
【図面の簡単な説明】
【００３５】
【図１】図１（Ａ）は実施形態１に係る植物育成用遠赤色照明装置を下方視した平面図であり、図１（Ｂ）は図１（Ａ）のＩＢ−ＩＢ線の断面図である。
【図２】実施形態２に係る植物育成用遠赤色照明装置の断面図である。
【図３】実施形態３に係る植物育成用遠赤色照明装置の断面図である。
【図４】実施形態４に係る植物育成用遠赤色照明装置の断面図である。
【図５】図５（Ａ）は従来試作した植物育成用遠赤色照明装置を下方視した平面図であり、図５（Ｂ）は図５（Ａ）のＶＢ−ＶＢ線の断面図である。
【図６】従来試作した植物育成用遠赤色照明装置の放射照度と、照明直下からの距離との関係を示した図である。
【発明を実施するための形態】
【００３６】
以下、本発明の実施形態を、図面を用いて説明する。ただし、以下に示す実施形態は、本発明の技術思想を具体化するための一例を示すものであり、本発明をこの実施形態に特定することを意図するものではない。本発明は、特許請求の範囲に含まれるその他の実施形態にも適応できるものである。
【００３７】
［実施形態１］
図１（Ａ）は本実施形態に係る植物育成用遠赤色照明装置１１０を下方視した平面図であり、図１（Ｂ）は図１（Ａ）のＩＢ−ＩＢ線の断面図である。なお、図１（Ｂ）の矢印Ｖは、鉛直方向を示しておりこの方向に畝が設けられている。
【００３８】
植物育成用遠赤色照明装置（以下、適宜たんに照明装置と記す）１１０は、二つのＬＥＤ光源と、二つのＬＥＤ光源をそれぞれ保持する保持する保持部と、保持部が取り付けられた反射板と、を備えている。
【００３９】
具体的には、ＬＥＤ光源は、所謂直管型の第１ＬＥＤ光源１２０Ａと、第２ＬＥＤ光源１２０Ｂとからなる。そして、第１ＬＥＤ光源１２０Ａは、第１保持部１３０Ａに保持されており、第２ＬＥＤ光源１２０Ｂは、第２保持部１３０Ｂに保持されている。また、第１保持部１３０Ａと第２保持部１３０Ｂは、ともに反射板１４０に取り付けられている。
【００４０】
第１ＬＥＤ光源１２０Ａは、直管１２１Ａと、この直管１２１Ａの内部に収容されたＬＥＤ実装基板１２２Ａと、このＬＥＤ実装基板１２２Ａの表面に実装された複数のＬＥＤチップ１２３Ａと、で構成されている。
【００４１】
直管１２１Ａは、内部が空洞の透明な円筒状の部材からなる。そして、直管１２１Ａは、透明なガラスや耐熱性のある透明な樹脂等によって形成することができる。直管１２１Ａの長さは３０〜６０ｃｍのものが好ましい。あまり直管１２１Ａの長さが長くなると、照明装置１１０が大型化し、照明装置１１０自体が日中の太陽光の遮蔽物となってしまうため、植物の育成に好ましくないためである。
【００４２】
なお、透明な直管１２１Ａであれば直管１２１Ａでの光の吸収が抑えられるため光を有効に活用するうえでは好ましいが、直管１２１Ａは透明なものの他に、乳白色のような透光性のあるものでも構わない。具体的には拡散シートを貼り付けたガラス製の直管や、拡散材の混入された樹脂製の直管である。このような拡散機能を備える直管１２１Ａを用いることで、第１ＬＥＤ光源１２０Ａからの出射光の拡散性を高めることができる。
【００４３】
ＬＥＤ実装基板１２２Ａは、回路等が形成されたプリント基板からなる。また、ＬＥＤチップ１２３Ａは、波長域７００〜８００ｎｍの遠赤色（ＦＲ）光を発光する発光ダイオードである。なお、ＬＥＤ実装基板１２２ＡやＬＥＤチップ１２３Ａについては、特別なものではなく既存のものを用いることができる。
【００４４】
そして、複数のＬＥＤチップ１２３Ａが実装されたＬＥＤ実装基板１２２Ａが、直管１２１Ａ内に収容され、直管１２１Ａの両端を口金１２４Ａで閉塞する。
【００４５】
第２ＬＥＤ光源１２０Ｂも、第１ＬＥＤ光源１２０Ａと同様の構成となっており、第２ＬＥＤ光源１２０Ｂは、複数のＬＥＤチップ１２３Ｂが実装されたＬＥＤ実装基板１２２Ｂが直管１２１Ｂ内に収容されており、直管１２１Ｂの両端を口金１２４Ｂで閉塞することにより形成されている。
【００４６】
第１保持部１３０Ａは、第１ＬＥＤ光源１２０Ａを保持するためのものであり、第１ＬＥＤ光源１２０の直管１２１Ａの両側をそれぞれ挟んで固定できるよう、二つ備わっている。また、図１（Ｂ）に示すように第１保持部１３０Ａは、輪の一部を切欠く円弧状であり、円弧の内側に生じる弾性力によって、直管１２１Ａを挟むように保持する構成となっている。
【００４７】
第２保持部１３０Ｂも、第１保持部１３０Ａと同様の構成となっており、第２ＬＥＤ光源１２０Ｂの直管１２１Ｂの両側をそれぞれ挟んで固定できるよう、二つ備わっている。
【００４８】
反射板１４０は、矩形状の金属板で構成されており、畝側となる下面１４１に第１保持部１３０Ａと第２保持部１３０Ｂを備えている。また、反射板１４０は、第１ＬＥＤ光源１２０Ａの直管１２１Ａ、第２ＬＥＤ光源１２０Ｂの直管１２１Ｂを覆う大きさとなっており、上方に漏れた第１ＬＥＤ光源１２０Ａ、第２ＬＥＤ光源１２０ＢからのＦＲ光を、下方である畝側に戻すものである。なお、反射板は金属製のものに限定されるものではない。また、反射の効率を高めるために、下面１４１表面を塗装等により白くしても構わない。
【００４９】
また更に、照明装置１１０は反射板１４０の上面１４２に電源部１５０備えている。この電源部１５０は、ＬＥＤチップ１２３Ａ、１２３Ｂを発光させるための電力を供給するものであり、電源部１５０と第１ＬＥＤ光源１２０Ａ、第２ＬＥＤ光源１２０Ｂとは、図示していないが配線を介して接続している。
【００５０】
なお、ＬＥＤチップ１２３Ａ、１２３Ｂを発光させるための電源部１５０は、直流電源でなければならないが、電池を用いる構成でも、外部電源を用いる構成でも構わない。電池を用いる場合、第１ＬＥＤ光源１２０Ａ、第２ＬＥＤ光源１２０Ｂがそれぞれ電源部１５０を備える構成でも構わない。また、交流の外部電源を用いる場合には、ＡＣ／ＤＣコンバータが必要となるが、ＡＣ／ＤＣコンバータは直管１２１Ａ、１２１Ｂ内にあってもよい。
【００５１】
植物育成用遠赤色照明装置１１０は、以上のよう構成であるとともに、第１ＬＥＤ光源１２０ＡのＬＥＤチップ１２３Ａは、鉛直方向Ｖから外れた方向に向けられており、第２ＬＥＤ光源１２０ＢのＬＥＤチップ１２３Ｂは、鉛直方向Ｖを対称軸としてＬＥＤチップ１２３Ａと対称な方向に向けられている。
【００５２】
具体的には、図１（Ｂ）に示すように、第１ＬＥＤ光源１２０Ａでは、直管１２１Ａ内のＬＥＤ実装基板１２２Ａが斜めに傾斜して収容されている。したがって、図５（Ｂ）の照明装置５１０のようにＬＥＤチップ５２３が鉛直方向Ｖに向いているのではなく、照明装置１１０のＬＥＤチップ１２３Ａは鉛直方向Ｖから外れた方向に向いている。
【００５３】
したがって、第１ＬＥＤ光源１２０Ａの輝度ピークは、照明装置１１０の直下ではなく、図１（Ｂ）の矢印ＰＡで示すように、照明装置１１０の斜め下方となる。
【００５４】
また、第２ＬＥＤ光源１２０Ｂでも、直管１２１Ｂ内のＬＥＤ実装基板１２２Ｂが鉛直方向Ｖを対称軸としてＬＥＤ実装基板１２２Ａと対称な方向に傾斜して収容されている。したがって、照明装置１１０のＬＥＤチップ１２３Ｂも、図５（Ｂ）の照明装置５１０のようにＬＥＤチップ５２３が鉛直方向Ｖに向いているのではなく、鉛直方向Ｖから外れた方向に向いている。したがって、第２ＬＥＤ光源１２０Ｂの輝度ピークは、照明装置１１０の直下ではなく、図１（Ｂ）の矢印ＰＢで示すように、照明装置１１０の斜め下方となる。
【００５５】
このように、照明装置１１０ではＬＥＤチップ１２３Ａ、１２３Ｂが、鉛直方向Ｖから外れた方向に向けられている。したがって、照明装置１１０では第１ＬＥＤ光源１２０Ａ、第２ＬＥＤ光源１２０Ｂの輝度ピークが、照明装置１１０の直下ではなく斜め下方となる。このため、照明装置１１０は、従来のように照明直下の放射照度が必要以上に高くなることを防ぎ、照明直下の放射照度を下げることができる。そして、この照明装置１１０を用いた植物の栽培は、照明直下の放射照度を下げることで、照明直下周辺の植物と同様の開花促進効果及び品質を得ることができる。
【００５６】
また、照明装置１１０は、ＬＥＤチップ１２３Ａ、１２３Ｂを鉛直方向Ｖから外れた方向に向けることで、開花促進に効果がある０．０１〜０．３Ｗ／ｍ２程度の放射照度を得られる範囲をより広げることができる。したがって、照明装置１１０は、ハウス内で必要となる照明装置の数を減らすことができる。
【００５７】
なお、ＬＥＤチップ１２３Ａ、１２３Ｂが向けられている方向は、鉛直方向Ｖから３０°〜９０°の範囲で外れていることが好ましい。３０°よりも小さくなると照明直下での放射照度の低下が少なく、また９０°よりも大きくなると畝側に向かうＦＲ光が減少してしまうからである。
【００５８】
次に、実際に照明装置１１０と比較用照明装置とで放射照度を比べてみた。照明装置１１０は、上記のような構成であり、より具体的には第１光源１２０Ａ、第２光源１２０Ｂは、ＬＥＤチップ１２３Ａ、１２３Ｂのピーク波長７３７ｎｍ、直管１２１Ａ、１２１Ｂの長さ３０ｃｍ、何れも消費電力１０Ｗの光源である。また、照明装置１１０は、第１光源１２０Ａと第２光源１２０Ｂとの間の間隔１０ｃｍ、反射板の大きさが１８ｃｍ×３２ｃｎである。比較用照明装置も同様の構成となっている。
【００５９】
そして、照明装置１１０は、ＬＥＤチップ１２３Ａ、１２３Ｂの向きが鉛直方向Ｖから６０°傾いている。一方、比較用照明装置は、ＬＥＤチップ１２３Ａ、１２３Ｂの向きが鉛直方向Ｖと同じ方向、つまり傾き０°となっている。
【００６０】
そして、シミュレーションによる放射照度であるが、照明装置１１０と比較用照明装置の取付高さ（畝からの高さ）２ｍ、そして畝からの高さ０．６ｍの位置での照明直下では、比較用照明装置が０．３６３０（Ｗ／ｍ２）に対し、照明装置１１０は０．１９００（Ｗ／ｍ２）であった。また、照明装置の中心から直管１２１Ａ、１２１Ｂと平行な方向に２ｍ、照明装置の中心から直管１２１Ａ、１２１Ｂと垂直な方向に２．５ｍ離れた場所で、畝からの高さ０．６ｍの位置では、比較用照明装置が０．００９７（Ｗ／ｍ２）に対し、照明装置１１０は０．０１０（Ｗ／ｍ２）であった。
【００６１】
このように、照明装置１１０は、第１ＬＥＤ光源１２０ＡのＬＥＤチップ１２３Ａは、鉛直方向Ｖから外れた方向に向けられており、第２ＬＥＤ光源１２０ＢのＬＥＤチップ１２３Ｂは、鉛直方向Ｖを対称軸としてＬＥＤチップ１２３Ａと対称な方向に向けられている。したがって、照明装置１１０は、照明直下の放射照度を下げ、照明直下周辺の植物と同様の開花促進効果及び品質を得ることができるため、均一な育成を実現することができる。また、照明装置１１０は、開花促進に効果がある０．０１〜０．３Ｗ／ｍ２程度の放射照度を得られる範囲をより広げることができるため、ビニールハウス内で必要となる照明装置の数を減らすことができる。
【００６２】
なお、本実施形態において、第１保持部１３０Ａ、第２保持部１３０Ｂの構成は、円弧状となっており、弾性力によって直管１２１Ａ、１２１Ｂを挟むように保持する構成となっている。このため、第１ＬＥＤ光源１２０Ａ、第２ＬＥＤ光源１２０Ｂは、保持部によって完全に固定されているわけではないため、直管１２１Ａ、１２１Ｂを回転させることができる。したがって、図１の矢印Ｒで示す方向に回転させることで、ＬＥＤチップ１２３Ａ、１２３Ｂの向きを変更することができる。ＬＥＤチップ１２３Ａ、１２３Ｂの向きを変更することができれば、植物の成長にあわせてＬＥＤチップ１２３Ａ、１２３Ｂの向きを調整したり、また照明装置１１０の取付位置にあわせてＬＥＤチップ１２３Ａ、１２３Ｂの向きを調整したりすることができる。
【００６３】
［実施形態２］
次に、他の実施形態について説明する。図２は、本実施形態における植物育成用遠赤色照明装置２１０の断面図である。なお、実施形態１の照明装置１１０との相違点を主に説明するため、同様の構成等については適宜符号の説明等も省略する。
【００６４】
照明装置２１０は、照明装置１１０の反射板１４０と異なり、反射板２４０が畝側に向かって突出するように折れ曲がった形状になっている。したがって、照明装置２１０は、傾斜した反射板２４０の下面２４１Ａ側に第１保持部２３０Ａを備え、下面２４１Ｂ側に第２保持部２３０Ｂを備えている。
【００６５】
そして、照明装置２１０は、下面２４１Ａ側に第１ＬＥＤ光源２２０Ａを、下面２４１Ｂ側に第２ＬＥＤ光源２２０Ｂを有している。このような構成により、ＬＥＤチップ２２３Ａは、鉛直方向Ｖから外れた方向に向けられ、ＬＥＤチップ２２３Ｂは、鉛直方向Ｖを対称軸としてＬＥＤチップ２２３Ａと対称な方向に向けられている。
【００６６】
このような照明装置２１０であっても、実施形態１の照明装置１１０と同様の効果を奏することができる。
【００６７】
［実施形態３］
次に、他の実施形態について説明する。図３は、本実施形態における植物育成用遠赤色照明装置３１０の断面図である。なお、他の実施形態との相違点を主に説明するため、同様の構成等については適宜符号の説明等も省略する。
【００６８】
照明装置３１０は、照明装置１１０の反射板１４０と異なり、反射板３４０が畝側と反対側に向かって突出するように折れ曲がった形状になっている。したがって、照明装置３１０は、傾斜した反射板３４０の下面３４１Ａ側に第１保持部３３０Ａを備え、下面３４１Ｂ側に第２保持部３３０Ｂを備えている。
【００６９】
そして、照明装置３１０は、下面３４１Ａ側に第１ＬＥＤ光源３２０Ａを、下面３４１Ｂ側に第２ＬＥＤ光源３２０Ｂを有している。このような構成により、ＬＥＤチップ３２３Ａは、鉛直方向Ｖから外れた方向に向けられ、ＬＥＤチップ３２３Ｂは、鉛直方向Ｖを対称軸としてＬＥＤチップ３２３Ａと対称な方向に向けられている。なお、本実施形態によれば、ＬＥＤチップ３２３ＡとＬＥＤチップ３２３Ｂから出射したＦＲ光は、互いに交差して畝側に向かうことになる。
【００７０】
このような照明装置３１０であっても、実施形態１の照明装置１１０と同様の効果を奏することができる。
【００７１】
［実施形態４］
次に、他の実施形態について説明する。図４は、本実施形態における植物育成用遠赤色照明装置４１０の断面図である。なお、他の実施形態との相違点を主に説明するため、同様の構成等については適宜符号の説明等も省略する。
【００７２】
照明装置４１０は、照明装置１１０と異なり、一つのＬＥＤ光源４２０と、このＬＥＤ光源４２０を保持する保持する保持部４３０と、保持部４３０が取り付けられた反射板４４０と、を備えている。
【００７３】
ＬＥＤ光源４２０は、直管４２１と、この直管４２１の内部に収容されたＬＥＤ実装基板４２２と、このＬＥＤ実装基板４２２の表面に実装された複数のＬＥＤチップ４２３Ａ、４２３Ｂと、で構成されている。
【００７４】
直管４２１は、実施形態１の直管１２１Ａと同様に透内部が空洞の透明な円筒状の部材からなる。
【００７５】
ＬＥＤ実装基板４２２は、回路等が形成されたプリント基板からなり、畝側に向かって突出するように折れ曲がった形状になっている。したがって、ＬＥＤ実装基板４２２には、傾斜した第１実装面４２２Ａと、傾斜した第２実装面４２２Ｂが形成されている。
【００７６】
そして、第１実装面４２２ＡにはＬＥＤチップ４２３Ａが実装され、第２実装面４２２ＢにはＬＥＤチップ４２３Ｂが実装されている。
【００７７】
このような構成により、ＬＥＤチップ４２３Ａは、鉛直方向Ｖから外れた方向に向けられ、ＬＥＤチップ４２３Ｂは、鉛直方向Ｖを対称軸としてＬＥＤチップ４２３Ａと対称な方向に向けられている。そして、このような照明装置４１０であっても、実施形態１の照明装置１１０と同様の効果を奏することができる。
【００７８】
また、他の実施形態と異なり照明装置４１０は、ＬＥＤ光源４２０が一つであるため装置自体を小型化することができる。したがって、照明装置４１０が日中の太陽光を遮蔽し難くなり、植物の育成を阻害し難くなる。
【００７９】
以上のような実施形態１〜４の植物育成用遠赤色照明装置を用いて植物の栽培を行う場合、照明装置の取付位置が低過ぎると植物との距離が近くなり過ぎるため照明直下でなくても放射照度が高くなり過ぎてしまう。また、照明装置の取付位置が高過ぎると開花促進の効果があるＦＲ光の放射照度０．０１〜０．３Ｗ／ｍ２が得られなくなってしまう。したがって、実施形態１〜４の植物育成用遠赤色照明装置を用いて植物の栽培を行う場合には、ビニールハウス内での使用において畝からの高さ１．４〜２ｍの高さに取り付けることが好ましい。
【符号の説明】
【００８０】
１１０、２１０、３１０、４１０、５１０…植物育成用遠赤色照明装置
１２０Ａ、２２０Ａ、３２０Ａ…第１ＬＥＤ光源
１２０Ｂ、２２０Ｂ、３２０Ｂ…第２ＬＥＤ光源
１２１Ａ、１２１Ｂ、４２１、５２１…直管
１２２Ａ、１２２Ｂ、４２２、５２２…ＬＥＤ実装基板
１２３Ａ、１２３Ｂ、２２３Ａ、２２３Ｂ、３２３Ａ、３２３Ｂ、４２３Ａ、４２３Ｂ、５２３…ＬＥＤチップ
１２４Ａ、１２４Ｂ…口金
１３０Ａ、２３０Ａ、３３０Ａ…第１保持部
１３０Ｂ、２３０Ｂ、３３０Ｂ…第２保持部
１４０、２４０、３４０、４４０…反射板
１４１、２４１Ａ、２４１Ｂ、３４１Ａ、３４１Ｂ…下面
１４２…上面
１５０…電源部
４２０…ＬＥＤ光源
４２２Ａ…第１実装面
４２２Ｂ…第２実装面
４３０…保持部
【図１】
0006475035.tif 000002
【図２】
0006475035.tif 000003
【図３】
0006475035.tif 000004
【図４】
0006475035.tif 000005
【図５】
0006475035.tif 000006
【図６】
0006475035.tif 000007